(57)【要約】【課題】この発明は手摺部材を設けることができ、取り外したときには外観が全く損なわれることのないボトムマットレス装置を提供することにある。【解決手段】上面に上部マットレス３が載置されるボトムマットレス装置において、  マットレス本体７と、このマットレス本体の一側部に着脱可能に設けられる取り付け部４と、この取り付け部に保持される手摺部材５とを具備する。【選択図】      図１
2005245698.tif 000002
【特許請求の範囲】
【請求項１】
上面に上部マットレスが載置されるボトムマットレス装置において、
マットレス本体と、
このマットレス本体の一側部に着脱可能に設けられる取り付け手段と、
この取り付け手段に保持される手摺部材と
を具備したことを特徴とするボトムマットレス装置。
【請求項２】
上記マットレス本体の一側部には厚さ方向に貫通する複数の取り付け孔が上記マットレス本体の長手方向に沿って所定間隔で形成されていて、
上記取り付け手段は、
上辺部、下辺部及び側辺部とによって断面コ字状に形成され上記上辺部と下辺部とには上記取り付け孔に対応する間隔で一対の連結孔が形成され、上記側辺部には上記手摺部材の下端部が保持されるとともに、上記上辺部と下辺部とで上記マットレス本体の一側部の上面と下面とを挟んで着脱可能に設けられる取り付け部材と、
対応位置する上記連結孔と上記取り付け孔とに着脱可能に挿通され上記取り付け部材を上記マットレス本体に脱落不能に保持する連結軸と
を有することを特徴とする請求項１記載のボトムマットレス装置。
【請求項３】
上記手摺部材の下端部を保持した上記側辺部はカバーによって覆われることを特徴とする請求項２記載のボトムマットレス装置。
【請求項４】
上記ボトムマットレスはフレームを有し、このフレームには上記取り付け孔を形成するパイプが設けられていることを特徴とする請求項２記載のボトムマットレス装置。
【請求項５】
上記マットレス本体の一側部には、上記連結軸による上記取り付け部材の取り付け位置をマットレス本体の長手方向に沿って変更可能とする少なくとも３つの取り付け孔が形成されていることを特徴とする請求項２記載のボトムマットレス装置。
【発明の詳細な説明】
【技術分野】
【０００１】
この発明は上面に上部マットレスが載置されるボトムマットレス装置に関する。
【背景技術】
【０００２】
ベッド装置には種々のタイプのものがあり、その１つとしてボトムマットレスの上面に上部マットレスを載置したダブルクッションタイプのベッド装置が知られている。ダブルクッションタイプのベッド装置は、高級感を呈する外観であるばかりか、通気性やクッション性に優れるという利点に着目されて、ホテルや家庭などで用いられている。
【０００３】
一方、ベッド装置としては介護用のベッド装置が知られている。介護用のベッド装置は利用者が老人などである場合、ベッド装置への乗り降りを容易に行なえるようにしたり、就寝中に利用者がベッド装置から落ちるのを防止するなどの目的のためにベッド装置の側部に手摺部材を設けるようにしている。
【０００４】
介護用のベッド装置に手摺部材を設ける場合、ベッドフレームには支持部材が取り付け固定され、この支持部材に上記手摺部材を着脱可能に取り付けるようにしている。上記支持部材としては、通常、上記手摺部材を差込むことができるパイプが用いられており、このパイプは上記ベッドフレームの側部に溶接固定される。
【発明の開示】
【発明が解決しようとする課題】
【０００５】
介護用のベッド装置の場合、そのベッドフレームの側部に支持部材が溶接固定されていても、当然の構造であるから、とくに違和感はない。
【０００６】
ところで、ダブルクッションタイプのベッド装置が設置されるホテルなどにおいて、老人や身体が不自由な利用者の場合、そのベッド装置に手摺部材を設けることが必要なことがある。
【０００７】
しかしながら、従来ではダブルクッションタイプのベッド装置に手摺部材を設けるようにするという考えがないばかりか、仮に設けることができるようにしても、室内の美観と調和する外観が要求されるホテルなどでは、手摺部材が不要な利用者が利用するときには、手摺部材やその支持部材が設けられていない、良好な外観を呈することが要求されることになる。
【０００８】
この発明は、手摺部材を取り付けるための取り付け手段を着脱可能に設けることで、手摺部材が不要なときには外観が損なわれることがないようにしたダブルクッションタイプのベッド装置に用いられるボトムマットレス装置を提供することにある。
【課題を解決するための手段】
【０００９】
この発明は、上面に上部マットレスが載置されるボトムマットレス装置において、
マットレス本体と、
このマットレス本体の一側部に着脱可能に設けられる取り付け手段と、
この取り付け手段に保持される手摺部材と
を具備したことを特徴とするボトムマットレス装置にある。
【００１０】
上記マットレス本体の一側部には厚さ方向に貫通する複数の取り付け孔が上記マットレス本体の長手方向に沿って所定間隔で形成されていて、
上記取り付け手段は、
上辺部、下辺部及び側辺部とによって断面コ字状に形成され上記上辺部と下辺部とには上記取り付け孔に対応する間隔で一対の連結孔が形成され、上記側辺部には上記手摺部材の下端部が保持されるとともに、上記上辺部と下辺部とで上記マットレス本体の一側部の上面と下面とを挟んで着脱可能に設けられる取り付け部材と、
対応位置する上記連結孔と上記取り付け孔とに着脱可能に挿通され上記取り付け部材を上記マットレス本体に脱落不能に保持する連結軸と
を有することが好ましい。
【００１１】
上記手摺部材の下端部を保持した上記側辺部はカバーによって覆われることが好ましい。
【００１２】
上記ボトムマットレスはフレームを有し、このフレームには上記取り付け孔を形成するパイプが設けられていることが好ましい。
【００１３】
上記マットレス本体の一側部には、上記連結軸による上記取り付け部材の取り付け位置をマットレス本体の長手方向に沿って変更可能とする少なくとも３つの取り付け孔が形成されていることが好ましい。
【発明の効果】
【００１４】
この発明によれば、手摺部材を保持するための取り付け手段を、マットレス本体に着脱可能に設けるようにしたから、手摺部材を使用しないときには取り付け手段を取り外すことで、ベッド装置の外観が低下するのを防止できる。
【発明を実施するための最良の形態】
【００１５】
以下、この発明の実施の形態を図面を参照して説明する。  
図１乃至図８はこの発明の一実施の形態を示し、図１はこの発明のボトムマットレス装置１が用いられたダブルクッションタイプのベッド装置を示す。上記ボトムマットレス装置１は、長手方向一端にヘッドボード２が取り付けられ、上面には上部マットレス３が載置されている。
【００１６】
上記ボトムマットレス装置１の一側部には取り付け手段を構成する取り付け部４が後述するように設けられ、この取り付け部４には手摺部材５が保持されるようになっている。  
上記ボトムマットレス装置１はマットレス本体７を有する。このマットレス本体７は図７（ａ），（ｂ）に示すベースフレーム８を有する。このベースフレーム８は、３本の縦桟９ａと複数の横桟９ｂとが矩形状に組まれるとともに、外周面は側板１１によって囲まれている。
【００１７】
上記ベースフレーム８の上面には図６（ａ），（ｂ）に示す上部フレーム１２が載置される。この上部フレーム１２は２本の縦桟１３ａの長手方向中途部を２本の横桟１３ｂで連結して形成されている。この上部フレーム１２の一対の縦桟１３ａには複数、この実施の形態では３本のパイプ１４が長手方向に所定間隔で、しかも縦桟９ａを上下方向に貫通して設けられている。
【００１８】
図８（ａ），（ｂ）に示すように、上記上部フレーム１２をベースフレーム８に載置したとき、上記ベースフレーム８の幅方向両側に設けられた一対の縦桟９ａには、上記各パイプ１４の下端部がそれぞれ貫通する３つの通孔１５が形成されている。なお、このとき、上部フレーム１２はベースフレーム８の横桟９ｂと面一になる。
【００１９】
図３（ａ），（ｂ）に示すように、上記ベースフレーム８に載置された上部フレーム１２の上面にはスプリングユニット１６が載置される。このスプリングユニット１６の上面は、上記ベースフレーム８の外周面に設けられた側板１１の上端よりもわずかに低い位置にある。そして、スプリングユニット１６の上面には、上記側板１１の上端とほぼ同じ高さになる厚さのクッション材１７が保護材１８を介して載置されている。
【００２０】
この実施の形態では、スプリングユニット１６として１本の線材によって複数のコイル部を連続して形成してばね体とし、複数のばね体を並設して構成されたスプリングユニットを用いるようにしたが、他の構成のスプリングユニット１６を用いるようにしてもよい。たとえば、ベースフレーム８の長手方向両端に位置する一対の側板１１間に鋼線を幅方向に所定間隔で張設するとともに、鋼線の一端と側板との間にコイルばねを設けてスプリングユニットとしてもよい。このようなスプリングユニットによれば、ベースフレーム８に張設された鋼線の下方に空間部が形成されるから、この空間部に照明器具を収容してボトムマットレス装置１の下部周辺部、つまり足元を照明するようにしてもよい。
【００２１】
さらに、スプリングユニット１６としては複数のコイルスプリングを行列状に連結して形成したものであってもよい。  
なお、ベースフレーム８の下面四隅部には脚部材２０が設けられている。
【００２２】
上記クッション材１７の上面及びベースフレーム８の側板１１は外装地１９によって被覆されている。この外装地１９には、図３（ａ）に示すように上記パイプ１４に対向する位置に、はと目２１が形成されている。それによって、マットレス本体７の幅方向両側部には、上記パイプ１４によって厚さ方向に貫通し、かつ長手方向に沿って所定間隔でそれぞれ３つの取り付け孔２２が形成される。なお、取り付け孔２２の数は３つに限られず、４つ以上であってもよい。
【００２３】
図４（ａ），（ｂ）に示すように、上記取り付け部４は取り付け部材２４を有する。この取り付け部材２４は、板材によって上辺部２４ａ、下辺部２４ｂ及び側辺部２４ｃを有するほぼコ字状に形成されている。上辺部２４ａと下辺部２４ｂとにはそれぞれ一対の連結孔２５がマットレス本体７の側部に厚さ方向に貫通して形成された、隣り合う一対の取り付け孔２２と対応する間隔で形成されている。
【００２４】
上記取り付け部材２４の側辺部２４ｃの前面には、上記手摺部材５を構成する脚部材２６が取り付け固定される。すなわち、脚部材２６はパイプ材を逆Ｕ字状に曲成してなり、その両側の下端部を上記側辺部２４ｃに溶接固定されている。
【００２５】
脚部材２６の中間部には枠状に形成された手摺枠２７が取り付け固定されている。すなわち、手摺枠２７は発泡ウレタンなどの比較的硬質な弾性材によって矩形枠状に形成されていて、図５（ｂ）に示すように上記脚部材２６に取り付けられる下辺にはめねじ２８ａが形成された連結プレート２８が成形時に一体的に埋設されている。
【００２６】
さらに、手摺枠２７の下辺には上記脚部材２６の中間部に外嵌されて溶接固定された、断面Ｕ字状の回り止め部材２９が一体成形されている。上記連結プレート２８のめねじ２８ａには、止めねじ３１が回り止め部材２９に形成された通孔２９ａを介して螺合される。上記脚部材２６の中間部には上記止めねじ３１を通すための通孔２６ａが形成されている。通孔２６ａは脚部材２６の軸方向に沿って所定間隔で複数形成されている。それによって、上記手摺枠２７は脚部材２６の中間部に対して回転することのない状態で連結固定されている。
【００２７】
脚部材２６の下端部が溶接固定された取り付け部材２４の側辺部２４ｃは樹脂製のカバー３３によって覆われている。このカバー３３は上記取り付け部材２４に図示しないねじによって着脱可能に連結される。
【００２８】
上記取り付け部４の取り付け部材２４は、上辺部２４ａと下辺部２４ｂとで上記マットレス本体７の側部の上面と下面とを挟んだ状態で取り付けられる。そして、上記上辺部２４ａに形成された一対の連結孔２５を、マットレス本体７の上面に開口形成された３つの取り付け孔２２のうちの隣り合う２つに対向させ、そこに図２と図４（ａ）に示すようにそれぞれ連結軸３４を挿入する。
【００２９】
連結軸３４の上端には連結孔２５よりも大径な鍔３４ａが形成されている。図４（ｂ）に示すように、連結軸３４をその鍔３４ａが上辺部２４ａに当たるまで取り付け孔２２に挿入すれば、下端部が上記取り付け部材２４の下辺部２４ｂの連結孔２５から下方へわずかに突出した状態で位置決めされる。それによって、取り付け部４の取り付け部材２４はマットレス本体７の側辺部に取り付け固定されることになる。
【００３０】
上記連結軸３４の下辺部２４ｂから突出した下端部を押し上げ、マットレス本体７の上面側に抜出すれば、マットレス本体７の側辺部を挟んだ取り付け部材２４を手摺部材５とともに取り外すことができる。
【００３１】
このような構成のボトムマットレス装置１を用いてダブルクッションタイプのベッド装置とすれば、上記ボトムマットレス装置１のマットレス本体７の側部に、取り付け孔２２を利用して取り付け部４を取り付けることができる。
【００３２】
したがって、老人や身体の不自由な利用者などの場合、マットレス本体７の側部に取り付け部４を取り付ける。それによって、取り付け部４の取り付け部材２４に設けられた手摺部材５の手摺枠２７をマットレス本体７の側部から上面側に突出位置させることができるから、利用者はその手摺部材５の手摺枠２７を利用してマットレス本体７に乗り降りすることができる。
【００３３】
マットレス本体７の側部には長手方向に沿って３つの取り付け孔２２が形成されている。そのため、取り付け部材２４の取り付け位置を、図２に実線で示す位置或いは鎖線で示す位置のいずれかに変更することができるから、手摺部材５の手摺枠２７を利用者が利用し易い位置に設けることができる。
【００３４】
手摺部材５を必要としない場合、マットレス本体７に取り付け部材２４を取り付けた一対の連結軸３４を、マットレス本体７の取り付け孔２２から抜出し、上記手摺部材５が取り付けられた取り付け部材２４をマットレス本体７から取り外す。それによって、マットレス本体７の側部からは手摺部材５を取り付けるための取り付け部材２４がなくなり、外観的には通常のボトムマットレス装置となんら変わることのない状態となる。
【００３５】
しかも、マットレス本体７の上面に開口した、取り付け部材２４を取り付けるための連結軸３４を挿入する取り付け孔２２も上部マットレス４によって覆い隠される。そのため、取り付け孔２２がマットレス本体７の外観を損なうようなこともない。
【００３６】
すなわち、手摺部材５が取り外されたボトムマットレス装置１は、外観的に極めて良好であるから、たとえばホテルなどに設置される場合などには、手摺部材５が必要なときにはマットレス本体７の側部に設けることができ、必要でない場合には取り外して外観の向上を図ることができる。
【００３７】
しかも、手摺部材５の取り付けや取り外しは、マットレス本体７に形成された取り付け孔２２に対して連結軸３４を挿脱するだけでよいから、その作業を簡単に行なうことができる。
【００３８】
さらに、マットレス本体７の側部には長手方向に沿って３つの取り付け孔２２を形成したから、手摺部材５の取り付け位置を変えることができる。そのため、手摺部材５を利用する場合、利用者が利用し易い位置に取り付けることができる。
【００３９】
図９はこの発明の他の実施の形態を示す。この実施の形態は、取り付け部材２４の側辺部２４ｃの前面下部には、脚部材２０の両側部に対応する間隔で一対の支持パイプ３７が取り付け固定されている。支持パイプ３７は上端面が開口し、下端面が閉塞されていて、上記脚部材２０の両側下端部を着脱可能に支持する。
【００４０】
それによって、上記脚部材２０は上記取り付け部材２４に対して着脱可能であるから、手摺部材５が一体的に連結された脚部材２０と、マットレス本体７に着脱可能に設けられる取り付け部材２４とを分割して取り扱うことができ、便利である。
【００４１】
また、支持パイプ３７から脚部材２６を取り外したならば、この支持パイプ３７に脚部材２６に代わって照明装置などの他のものを保持することもできる。
【００４２】
この発明は上記各実施の形態に限定されるものでなく、たとえば手摺部材の幅寸法を脚部材の幅寸法に比べて十分に大きくし、手摺部材がマットレス本体の長手方向において占める範囲を拡大してもよい。
【００４３】
それによって、手摺部材を利用者がマットレス本体に乗り降りする際に手摺として利用できるだけでなく、就寝中に掛け布団がずれ落ちるのを防止したり、利用者が転落するのを防止することができる。
【図面の簡単な説明】
【００４４】
【図１】この発明の一実施の形態を示すダブルクッションタイプのベッド装置の斜視図。
【図２】図１のベッド装置の側面図。
【図３】（ａ）はボトムマットレス装置の一部破断して内部を示した平面図、（ｂ）は同じく一部破断して内部を示した側面図。
【図４】（ａ）は手摺部材が取り付けられた取り付け部の正面図、（ｂ）は鎖線で示すマットレス本体の側部に取り付け部を取り付けた状態の断面図。
【図５】（ａ）は取り付け部材の平面図、（ｂ）は手摺部材と脚部材との連結構造の断面図。
【図６】（ａ）は上部フレームの平面図、（ｂ）は同じく側面図。
【図７】（ａ）はベースフレームの平面図、（ｂ）は同じく側面図。
【図８】（ａ）はベースフレームに上部フレームを組み込んだ平面図、（ｂ）は同じく側断面図。
【図９】この発明の他の実施の形態を示す手摺部材が取り付けられた取り付け部の正面図。
【符号の説明】
【００４５】
３…上部マットレス、４…取り付け部（取り付け手段）、５…手摺部材、７…マットレス本体、２２…取り付け孔、３３…カバー、３４…連結軸。
【図１】
2005245698.tif 000003
【図２】
2005245698.tif 000004
【図３】
2005245698.tif 000005
【図４】
2005245698.tif 000006
【図５】
2005245698.tif 000007
【図６】
2005245698.tif 000008
【図７】
2005245698.tif 000009
【図８】
2005245698.tif 000010
【図９】
2005245698.tif 000011